(57)【特許請求の範囲】
【請求項１】
動力源として内燃機関と電動機とを備えた車両に適用され、
前記内燃機関の出力軸から動力が入力される入力軸と、前記車両の駆動輪へ動力を出力する出力軸とを備え、前記出力軸の回転速度に対する前記入力軸の回転速度の割合である減速比が異なる予め定められた複数の変速段を有する有段変速機であって、前記入力軸と前記出力軸との間の動力伝達系統を介することなく前記電動機の出力軸から動力が有段変速機の出力軸に入力される有段変速機と、
前記内燃機関の出力軸と前記有段変速機の入力軸との間に介装されたクラッチであってクラッチが伝達し得るトルクの最大値であるクラッチトルクを調整可能なクラッチと、
前記クラッチを制御して前記クラッチトルクを調整する第１アクチュエータと、
前記有段変速機を制御して前記複数の変速段のうちから実現される変速段を変更する第２アクチュエータと、
前記車両の走行状態に基づいて、前記内燃機関の出力軸の駆動トルクである内燃機関駆動トルク、前記電動機の出力軸の駆動トルクである電動機駆動トルク、前記第１アクチュエータ、及び前記第２アクチュエータを制御する制御手段と、
を備え、
前記制御手段は、
前記車両の走行状態に基づいて、前記クラッチトルクがゼロに維持された状態で前記電動機駆動トルクのみを利用して走行する電動機走行モードと、前記クラッチトルクがゼロより大きい値に調整された状態で前記内燃機関駆動トルクのみを利用して又は前記内燃機関駆動トルク及び前記電動機駆動トルクの両方を利用して走行する内燃機関走行モードと、を選択的に実現するように構成された車両の動力伝達制御装置において、
前記制御手段は、
前記内燃機関走行モードが選択された状態において前記車両の速度が所定速度以下の場合に、前記有段変速機が複数の変速段を実現可能なように前記第２アクチュエータを制御し、
前記電動機走行モードが選択された状態において、前記車両の速度が前記所定速度より大きいと判定された場合には前記実現される変速段を前記車両の走行状態に応じて変更し、前記車両の速度が前記所定速度以下と判定された場合には前記実現される変速段を前記車両の走行状態に依存することなく現在の変速段に維持するように構成された車両の動力伝達制御装置。
【請求項２】
請求項１に記載の車両の動力伝達制御装置において、
前記制御手段は、
前記電動機走行モードが選択された状態において、走行していた前記車両が停止することに基づいて、前記実現される変速段を前記複数の変速段のうち前記減速比が最も大きい変速段に設定するように構成された車両の動力伝達制御装置。
【請求項３】
請求項１又は請求項２に記載の車両の動力伝達制御装置において、
前記制御手段は、
前記電動機走行モードが選択された状態において、前記車両の速度が前記所定速度より大きいと判定された場合には、少なくとも運転者により操作される加速操作部材の操作量及び前記車両の速度と実現すべき変速段との間の事前に定められた関係と、少なくとも前記加速操作部材の現在の操作量及び前記車両の現在の速度とに基づいて、前記実現される変速段を変更し、前記車両の速度が前記所定速度以下と判定された場合には、前記関係及び前記加速操作部材の現在の操作量及び前記車両の現在の速度に依存することなく前記実現される変速段を現在の変速段に維持するように構成された車両の動力伝達制御装置。
【発明の詳細な説明】
【技術分野】
【０００１】
本発明は、車両の動力伝達制御装置に関し、特に、動力源として内燃機関と電動機とを備え、且つクラッチを備えた車両に適用されるものに係わる。
【背景技術】
【０００２】
近年、複数の変速段を有し且つトルクコンバータを備えていない有段変速機と、内燃機関の出力軸と有段変速機の入力軸との間に介装されてクラッチトルク（クラッチが伝達し得るトルクの最大値）を調整可能なクラッチと、車両の走行状態に応じてアクチュエータを用いてクラッチトルク及び有段変速機の変速段を制御する制御手段と、を備えた動力伝達制御装置が開発されてきている（例えば、特許文献１を参照）。係る動力伝達制御装置は、オートメイティッド・マニュアル・トランスミッション（ＡＭＴ）とも呼ばれる。
【０００３】
ＡＭＴを搭載した車両では、通常、「アクセル開度及び車速」と「実現すべき変速段」との関係を規定する事前に作製されたマップと、アクセル開度及び車速の現在値とに基づいて、実現される変速段が決定・変更される。
【０００４】
また、近年、動力源としてエンジンと電動機（電動モータ、電動発電機）とを備えた所謂ハイブリッド車両が開発されてきている（例えば、特許文献２を参照）。ハイブリット車両では、電動機の出力軸が、内燃機関の出力軸、変速機の入力軸、及び変速機の出力軸の何れかに接続される構成が採用され得る。以下、内燃機関の出力軸の駆動トルクを「内燃機関駆動トルク」と呼び、電動機の出力軸の駆動トルクを「電動機駆動トルク」と呼ぶ。
【先行技術文献】
【特許文献】
【０００５】
【特許文献１】特開２００６−９７７４０号公報
【特許文献２】特開２０００−２２４７１０号公報
【発明の概要】
【０００６】
以下、ＡＭＴを搭載し、且つ、電動機の出力軸が変速機の出力軸に接続される構成を備えたハイブリッド車両（以下、「ＡＭＴ付ハイブリッド車両」と呼ぶ。）を想定する。ＡＭＴ付ハイブリッド車両では、クラッチトルクがゼロに維持された状態で電動機駆動トルクのみを利用して走行する「電動機走行モード」と、クラッチトルクがゼロより大きい値に調整された状態で内燃機関駆動トルクのみ又は「内燃機関駆動トルク及び電動機駆動トルクの両方」を利用して走行する「内燃機関走行モード」と、が選択的に実現され得る。
【０００７】
電動機走行モードでは、電動機駆動トルクは、有段変速機を介することなく電動機の出力軸から変速機の出力軸（従って、駆動輪）に伝達される。従って、上述したマップに基づいて「実現される変速段」を逐次変更していく必要性が少ない。加えて、「実現される変速段」を変更する際、係る変更に伴って作動音が不可避的に発生する。この作動音によって、乗員は不快感を受ける可能性がある。
【０００８】
本発明の目的は、ＡＭＴ付ハイブリッド車両に適用される車両の動力伝達制御装置であって、電動機走行モードにおいて、「実現される変速段」の変更に起因する作動音によって乗員が不快感を受ける事態の発生を抑制できるものを提供することにある。
【０００９】
本発明によるＡＭＴ付ハイブリッド車両に適用される車両の動力伝達制御装置の特徴は、電動機走行モードが選択された状態において、前記車両の速度が所定速度より大きいと判定された場合には実現される変速段を車両の走行状態に応じて変更し、前記車両の速度が前記所定速度以下と判定された場合には実現される変速段を車両の走行状態に依存することなく現在の変速段に維持するように構成されたことにある。
【００１０】
一般に、車室内の騒音レベルが大きい場合には車室内で発生する作動音は乗員に感知され難く、騒音レベルが小さい場合には車室内で発生する作動音は乗員に感知され易い。ここで、車室内の騒音レベルは、車速が大きくなるにつれて大きくなる。上記構成によれば、車速が大きい場合（従って、車室内の騒音レベルが大きい場合）には、変速段の変更に起因する作動音が乗員に感知されることなく、「実現される変速段」が車両の走行状態に応じて適切に変更されていく。また、車速が小さい場合（従って、車室内の騒音レベルが小さい場合）には、変速段が変更されないので、変速段の変更に起因する作動音が発生しない。従って、係る作動音によって乗員が不快感を受ける事態が発生しない。
【００１１】
上記本発明に係る動力伝達制御装置においては、前記電動機走行モードが選択された状態において、走行していた前記車両が停止することに基づいて、前記実現される変速段を前記複数の変速段のうち前記減速比が最も大きい変速段（典型的には「１速」）に設定するように構成されることが好適である。これによれば、車両の停止時、或いは、停止直前において、減速比が最も大きい変速段が既に実現された状態が得られる。従って、例えば、車両の停止後、内燃機関走行モードで直ちに車両が発進するような場合、減速比が最も大きい変速段を用いて速やかに車両を発進させることができる。
【図面の簡単な説明】
【００１２】
【図１】本発明の実施形態に係る車両の動力伝達制御装置を搭載した車両の概略構成図である。
【図２】図１に示した変速機の概略構成図である。
【図３】図１に示したクラッチについての「ストローク−トルク特性」を規定するマップを示したグラフである。
【図４】車速及びアクセル開度と、シフト位置との関係を規定したマップを示したグラフである。
【図５】本発明の実施形態によって、ＥＶ走行中において変速段の変更が禁止される場合の一例を示したタイムチャートである。
【発明を実施するための形態】
【００１３】
以下、本発明による車両の動力伝達制御装置の実施形態について図面を参照しつつ説明する。
【００１４】
（構成）
図１は、本発明の実施形態に係る動力伝達制御装置（以下、「本装置」と称呼する。）を搭載した車両の概略構成を示している。この車両は、動力源として内燃機関とモータジェネレータとを備え、且つ、トルクコンバータを備えない有段変速機とクラッチとを使用した所謂オートメイティッド・マニュアル・トランスミッション（ＡＭＴ）を備えたハイブリッド車両である。
【００１５】
この車両は、エンジンＥ／Ｇと、変速機Ｔ／Ｍと、クラッチＣ／Ｄと、モータジェネレータＭ／Ｇと、を備えている。Ｅ／Ｇは、周知の内燃機関の１つであり、例えば、ガソリンを燃料として使用するガソリンエンジン、軽油を燃料として使用するディーゼルエンジンである。Ｅ／Ｇの出力軸Ａ１は、フライホイールＦ／Ｗ、及び、クラッチＣ／Ｄを介して、変速機Ｔ／Ｍの入力軸Ａ２と接続されている。
【００１６】
変速機Ｔ／Ｍは、前進用の複数（例えば、５つ）の変速段（シフト位置）、後進用の１つの変速段（シフト位置）、及びニュートラルを有するトルクコンバータを備えない周知の有段変速機の１つである。Ｔ／Ｍの出力軸Ａ３は、ディファレンシャルＤ／Ｆを介して車両の駆動輪と接続されている。
【００１７】
図２に示すように、Ｔ／Ｍは、
それぞれが入力軸Ａ２又は出力軸Ａ３（本例では、入力軸Ａ２）に相対回転不能に設けられるとともに、それぞれが前進用の複数の変速段のそれぞれに対応する複数の固定ギヤＧ１ｉ、Ｇ２ｉ、Ｇ３ｉ、Ｇ４ｉ、Ｇ５ｉと、
それぞれが入力軸Ａ２又は出力軸Ａ３（本例では、出力軸Ａ３）に相対回転可能に設けられるとともに、それぞれが前進用の複数の変速段のそれぞれに対応するとともに、対応する変速段の固定ギヤと常時歯合する複数の遊転ギヤＧ１ｏ、Ｇ２ｏ、Ｇ３ｏ、Ｇ４ｏ、Ｇ５ｏと、
それぞれが入力軸Ａ２及び出力軸Ａ３のうち「対応する軸」（本例では、出力軸Ａ３）に相対回転不能且つ軸方向に相対移動可能に設けられるとともに、それぞれが複数の遊転ギヤのうち対応する遊転ギヤを「対応する軸」（本例では、出力軸Ａ３）に対して相対回転不能に固定するために対応する遊転ギヤと係合可能な複数のスリーブＳ１、Ｓ２、Ｓ３と、
を備える。
【００１８】
Ｔ／Ｍの変速段の変更・設定は、変速機アクチュエータＡＣＴ２（図１を参照）によってスリーブＳ１、Ｓ２、Ｓ３を駆動し、スリーブＳ１、Ｓ２、Ｓ３の軸方向位置を制御することで実行される。変速段を変更することで、減速比（出力軸Ａ３の回転速度Ｎｏに対する入力軸Ａ２の回転速度Ｎｉの割合）が調整される。具体的には、「Ｎ」速の「減速比」は、「ＧＮｏの歯数／ＧＮｉの歯数）（Ｎ：１，２，３，４，５）で表される。「１速」から「５速」に向けて、減速比は次第に小さくなっていく。
【００１９】
クラッチＣ／Ｄは、変速機Ｔ／Ｍの入力軸Ａ２に一体回転するように設けられた周知の構成の１つを有する摩擦クラッチディスクである。より具体的には、エンジンＥ／Ｇの出力軸Ａ１に一体回転するように設けられたフライホイールＦ／Ｗに対して、クラッチＣ／Ｄ（より正確には、クラッチディスク）が互いに向き合うように同軸的に配置されている。フライホイールＦ／Ｗに対するクラッチＣ／Ｄ（より正確には、クラッチディスク）の軸方向の位置が調整可能となっている。クラッチＣ／Ｄの軸方向位置は、クラッチアクチュエータＡＣＴ１（図１を参照）により調整される。なお、このクラッチＣ／Ｄは、運転者によって操作されるクラッチペダルを備えていない。
【００２０】
以下、クラッチＣ／Ｄの原位置（クラッチディスクがフライホイールから最も離れた位置）からの接合方向（圧着方向）への軸方向の移動量をクラッチストロークＣＳｔと呼ぶ。クラッチＣ／Ｄが「原位置」にあるとき、クラッチストロークＣＳｔが「０」となる。図３に示すように、クラッチストロークＣＳｔを調整することにより、クラッチＣ／Ｄが伝達可能な最大トルク（クラッチトルクＴｃ）が調整される。「Ｔｃ＝０」の状態では、エンジンＥ／Ｇの出力軸Ａ１と変速機Ｔ／Ｍの入力軸Ａ２との間で動力が伝達されない。この状態を「分断状態」と呼ぶ。また、「Ｔｃ＞０」の状態では、出力軸Ａ１と入力軸Ａ２との間で動力が伝達される。この状態を「接合状態」と呼ぶ。
【００２１】
モータジェネレータＭ／Ｇは、周知の構成（例えば、交流同期モータ）の１つを有していて、例えば、ロータ（図示せず）がＭ／Ｇの出力軸と一体回転するようになっている。図２に示す例では、Ｍ／Ｇの出力軸は、Ｔ／Ｍの出力軸Ａ３と一体且つ同軸的に接続されているが、所定の歯車列を介してＴ／Ｍの出力軸Ａ３と接続されていてもよい。Ｍ／Ｇの出力軸の駆動トルクは、Ｔ／Ｍを介することなくＴ／Ｍの出力軸Ａ３（従って、駆動輪）に伝達される。
【００２２】
本装置は、アクセルペダルＡＰの操作量（アクセル開度）を検出するアクセル開度センサＳ１と、シフトレバーＳＦの位置を検出するシフト位置センサＳ２と、ブレーキペダルＢＰの操作の有無を検出するブレーキセンサＳ３と、を備えている。
【００２３】
また、本装置は、電子制御ユニットＥＣＵを備えている。ＥＣＵは、上述のセンサＳ１〜Ｓ３、並びにその他のセンサ等からの情報等に基づいて、上述のアクチュエータＡＣＴ１、ＡＣＴ２を制御することで、Ｃ／ＤのクラッチストロークＣＳｔ（従って、クラッチトルクＴｃ）、及び、Ｔ／Ｍの変速段を制御する。また、ＥＣＵは、Ｅ／Ｇの燃料噴射量（スロットル弁の開度）を制御することでＥ／Ｇの出力軸Ａ１の駆動トルクを制御するとともに、インバータ（図示せず）を制御することでＭ／Ｇの出力軸の駆動トルクを制御する。
【００２４】
以上、この車両は、ＡＭＴを搭載し、且つ、Ｍ／Ｇの出力軸がＴ／Ｍの出力軸Ａ３に接続される構成を備えた「ＡＭＴ付ハイブリッド車両」である。以下、説明の便宜上、Ｅ／Ｇの燃焼により出力軸Ａ１に発生する駆動トルクを「ＥＧトルクＴｅ」と呼び、Ｍ／Ｇの出力軸の駆動トルクを「ＭＧトルクＴｍ」と呼ぶ。Ｔｅ，Ｔｍは、車両の加速方向について正の値を採り、減速方向について負の値を採るものとする。
【００２５】
本装置では、ＥＶ走行モードと、ＥＧ走行モードと、ＨＶ走行モードとが選択的に実現される。ＥＶ走行モード、ＥＧ走行モード、及びＨＶ走行モードのうち何れが実現されるかは、例えば、車速、アクセル開度等の車両の走行状態に基づいて決定される。
【００２６】
ＥＶ走行モードでは、Ｅ／Ｇが停止し、クラッチＣ／Ｄが分断状態（Ｔｃ＝０）に維持された状態で、ＭＧトルクＴｍ（＞０）のみを利用して車両が走行する。ＥＧ走行モードでは、ＭＧトルクＴｍがゼロに維持され、且つ、クラッチＣ／Ｄが接合状態（Ｔｃ＞０）に調整されてＥＧトルクＴｅ（＞０）のみを利用して車両が走行する。ＨＶ走行モードでは、クラッチＣ／Ｄが接合状態（Ｔｃ＞０）に調整されてＥＧトルクＴｅ（＞０）及びＭＧトルクＴｍ（＞０）の両方を利用して車両が走行する。ＥＶ走行モード及びＨＶ走行モードでは、Ｔｍはアクセル開度等の車両の走行状態に基づいて調整される。ＥＧ走行モード及びＨＶ走行モードでは、Ｔｅはアクセル開度等の車両の走行状態に基づいて調整される。
【００２７】
本装置では、シフトレバーＳＬが「自動モード」に対応する位置（例えば、Ｄレンジ）にある場合、ＥＣＵ内のＲＯＭに記憶された変速マップ（図４を参照）と、車速及びアクセル開度等の車両の走行状態とに基づいてシフト位置（選択・実現すべき変速段）が選択される。例えば、現在の車速がαで現在のアクセル開度がβの場合、シフト位置として「３速」が選択される。一方、シフトレバーＳＬが「手動モード」に対応する位置（例えば、Ｍ（マニュアル）レンジ）にある場合、シフトレバーＳＬの位置に基づいてシフト位置が選択される。
【００２８】
変速機Ｔ／Ｍでは、通常、選択されたシフト位置に対応する変速段が実現される。シフト位置が変化したとき、Ｔ／Ｍの変速作動（変速段が変更される際の作動）が行われる。変速作動の開始前にクラッチＣ／Ｄが接合状態（クラッチトルク＞０）から分断状態（クラッチトルク＝０）へと変更され、クラッチが分断状態に維持された状態で変速作動が行われ、変速作動の終了後にクラッチが分断状態から接合状態へと戻される。なお、変速作動の開始とは、変速段の変更に関連して移動する部材（具体的には、スリーブ）の移動の開始に対応し、変速作動の終了とは、その部材の移動の終了に対応する。
【００２９】
（ＥＶ走行モードにおける変速段の変更の禁止）
本装置では、ＳＬによって「自動モード」が選択されている場合、通常、ＥＶ走行モード、ＥＧ走行モード、及びＨＶ走行モードのうち何れが実現されているかに依存することなく、シフト位置（従って、実現される変速段）が、上述した変速マップ及び車両の走行状態（アクセル開度及び車速等）に基づいて選択・変更されていく。
【００３０】
ところで、ＥＶ走行モードでは、ＭＧトルクＴｍは、Ｔ／Ｍの内部を介することなくＭ／Ｇの出力軸からＴ／Ｍの出力軸Ａ３（従って、駆動輪）に伝達される。従って、上述した変速マップ（図４を参照）に基づいて「実現される変速段」を逐次変更していく必要性が少ない。加えて、「実現される変速段」を変更する際、「変速作動」に伴う作動音が不可避的に発生する。この作動音によって、乗員は不快感を受ける可能性がある。
【００３１】
他方、車室内の騒音レベルが大きい場合には車室内で発生する作動音は乗員に感知され難く、騒音レベルが小さい場合には車室内で発生する作動音は乗員に感知され易い。ここで、車室内の騒音レベルは、車速が大きくなるにつれて大きくなる。
【００３２】
そこで、本装置では、ＥＶ走行モードにおいて、車速が所定速度Ｖｔｈより大きいと判定された場合（即ち、車室内の騒音レベルが所定レベルより大きいと判定された場合）、「実現される変速段」が上述した変速マップ及び車両の走行状態（車速及びアクセル開度）に応じて変更される。一方、車速が所定速度Ｖｔｈ以下と判定された場合（即ち、車室内の騒音レベルが所定レベル以下と判定された場合）、「実現される変速段」が車両の走行状態に依存することなく現在の変速段に維持される。換言すれば、変速段の変更が禁止される。
【００３３】
以下、このことについて、図５を参照しながら説明する。図５では、ＳＬによって「自動モード」（Ｄレンジ）が選択・維持され、且つ、時刻ｔ１以前にてＥＶ走行モード以外の走行モード（具体的には、ＥＧ走行モード）が選択され、時刻ｔ１以降にてＥＶ走行モードが選択される場合の一例が示されている。図５の「変速段」の欄において、破線は、上述の「変速段の変更」が禁止されない場合を示し、実線は、本装置によって「変速段の変更」が禁止される場合を示す。
【００３４】
図５に示す例では、時刻ｔ１におけるＥＧ走行モードからＥＶ走行モードへの切り替えに伴い、時刻ｔ１以降、ＥＧトルクＴｅ及びクラッチトルクＴｃがゼロに向けて減少し、ＭＧトルクＴｍがゼロから増大する。時刻ｔ２にてＴｅがゼロに達し、時刻ｔ２以降、エンジン回転速度ＮＥはゼロに向けて減少し、時刻ｔ４にてゼロになる。時刻ｔ４以降、Ｅ／Ｇは停止状態（ＮＥ＝０）に維持される。
【００３５】
時刻ｔ２以降、クラッチトルクＴｃがゼロに維持される（即ち、クラッチＣ／Ｄが分断状態に維持される）。換言すれば、時刻ｔ２以降、ＭＧトルクのみを利用して車両が走行する。
【００３６】
アクセル開度が時刻ｔ３まで一定に維持され、時刻ｔ３以降、ゼロに向けて減少していく。これに伴い、時刻ｔ３以降、ＭＧトルクＴｍが減少していき、時刻ｔ４の直前以降、Ｔｍが負で推移する（所謂、回生状態）。この結果、車速も、時刻ｔ３まで一定に維持され、時刻ｔ３以降、ゼロに向けて減少していく。
【００３７】
「実現される変速段」は、上述の変速マップ（図４を参照）に従って、時刻ｔ３までは「４速」に維持される。時刻ｔ３〜ｔ４において、車速及びアクセル開度の減少に応じて、上述の変速マップ（図４を参照）に従って、「４速」から「３速」への変速作動（変速段の変更）がなされている。これは、この段階では、車速が前記所定速度Ｖｔｈより大きいことに基づく。即ち、この段階では、車室内の騒音レベルが大きいので、変速作動に起因する作動音が乗員に感知され難い。従って、変速作動に起因する作動音が乗員に感知されることなく「実現される変速段」が車両の走行状態に応じて適切に変更されている。
【００３８】
時刻ｔ５以降では、車速が所定速度Ｖｔｈ未満となる。ここで、上述の「変速段の変更」が禁止されない場合（破線を参照）、時刻ｔ５以降も、車速及びアクセル開度の減少に応じて、上述の変速マップ（図４を参照）に従って、「３速」から「２速」、そして、「２速」から「１速」への変速作動（変速段の変更）が順次なされている。この段階では、車室内の騒音レベルが小さいので、変速作動に起因する作動音が乗員に感知されてしまう。
【００３９】
これに対し、本装置では、時刻ｔ５以降、車両が停止する時刻ｔ６まで、「実現される変速段」が現在の変速段（この例では、「３速」）に維持される。換言すれば、この間、変速作動がなされない。このように、本装置では、車室内の騒音レベルが小さい場合には変速作動がなされない。従って、変速作動に起因する作動音が発生しない。従って、係る作動音によって乗員が不快感を受ける事態が発生しない。
【００４０】
本装置では、車両が停止する時刻ｔ６にて、それまで維持されてきた変速段（この例では、「３速」）から「１速」への変速作動がなされる。この結果、車両の停止直後において、「減速比が最も大きい変速段」（即ち、発進用の変速段）が既に実現された状態が得られる。従って、例えば、車両の停止後（この例では、時刻ｔ６以降）、ＥＧ走行モード又はＨＶ走行モードで直ちに車両が発進するような場合、「減速比が最も大きい変速段」を用いて速やかに車両を発進させることができる。
【００４１】
なお、この例では、車両が停止したと判定された時点（即ち、車速がゼロ以外からゼロに変更されたと判定された時点）で「実現される変速段」が「減速比が最も大きい変速段」に変更されているが、車両が停止する直前と判定された時点（即ち、車速がゼロより大きい微小値を減少しながら通過したと判定された時点）で「実現される変速段」が「減速比が最も大きい変速段」に変更されてもよい。
【００４２】
以上、本装置によれば、ＥＶ走行モードにおいて、車速が所定速度Ｖｔｈより大きい場合（即ち、車室内の騒音レベルが大きい場合）には、変速作動に起因する作動音が乗員に感知されることなく、「実現される変速段」が車両の走行状態に応じて適切に変更されていく。また、車速が所定速度Ｖｔｈ以下の場合（即ち、車室内の騒音レベルが小さい場合）には、変速段が変更されないので、変速段の変更に起因する作動音が発生しない。従って、係る作動音によって乗員が不快感を受ける事態が発生しない。
【００４３】
また、本装置によれば、ＥＶ走行モードにおいて走行していた車両が停止することに基づいて、「実現される変速段」が「１速」（減速比が最も大きい変速段）に変更される。従って、車両停止後、ＥＧ走行モード又はＨＶ走行モードで車両が直ちに発進するような場合、減速比が最も大きい変速段を用いて速やかに車両を発進させることができる。
【００４４】
本発明は上記実施形態に限定されることはなく、本発明の範囲内において種々の変形例を採用することができる。例えば、上記実施形態では、ＥＶ走行モードと、ＥＧ走行モードと、ＨＶ走行モードとの３種類の走行モードが選択的に実現されるように構成されているが、ＥＶ走行モードと、ＥＧ走行モードとの２種類の走行モードが選択的に実現されるように（即ち、ＨＶ走行モードが実現できないように）構成されていてもよい。
【符号の説明】
【００４５】
Ｔ／Ｍ…変速機、Ｅ／Ｇ…エンジン、Ｃ／Ｄ…クラッチ、Ｍ／Ｇ…モータジェネレータ、Ａ１…エンジンの出力軸、Ａ２…変速機の入力軸、Ａ３…変速機の出力軸、ＡＣＴ１…クラッチアクチュエータ、ＡＣＴ２…変速機アクチュエータ、ＥＣＵ…電子制御ユニット
【図１】
0005918953.tif 000002
【図２】
0005918953.tif 000003
【図３】
0005918953.tif 000004
【図４】
0005918953.tif 000005
【図５】
0005918953.tif 000006